(57)【特許請求の範囲】
【請求項１】
機体の外郭をなす外枠と、該外枠の前面側に対して開閉自在に組み付けられた中枠と、該中枠の前面側に対して開閉可能に組み付けられて機体の前面に配置される前枠と、を備えた遊技機において、
該前枠の枠本体の前面側には、枠本体の上部及び左右両側に亘って、内部が中空状をなすと共に、枠本体から膨出するように形成され、発光ランプのランプレンズとしての機能を有する膨出部が備えられ、
当該膨出部内の左右両側には、膨出部の内面と、膨出部の内部を区画する区画壁と、枠本体の前面により区画形成されたエンクロージャ構造をなすスピーカ収容部がそれぞれ１つずつ形成され、
前記各スピーカ収容部内に、中高音用スピーカユニット及び中低音用スピーカユニットが、その前面部を機表側に向けると共に、当該前面部を膨出部の前面の内側に装着するようにしてそれぞれ取り付けられ、
前記中高音用スピーカユニットは、前記各スピーカ収容部において前記中低音用スピーカユニットよりも上方に配設され、
前記膨出部の内側であって、各スピーカ収容部外には、発光演出を行う発光ランプが取り付けられており、
前記各スピーカ収容部には、前記中高音用スピーカユニットの前面部と前記中低音用スピーカユニットの前面部に対応する位置にそれぞれ音放出口が形成されているとともに、当該音放出口とは別にバスレフポートが開口形成されており、
前記バスレフポートは、前記各スピーカ収容部において前記中高音用スピーカユニット及び前記中低音用スピーカユニットよりも上方に１つ配設されていると共に、前記各スピーカ収容部において前記中高音用スピーカユニット及び前記中低音用スピーカユニットよりも下方に１つ配設されており、
前記スピーカ収容部内には、前記バスレフポートに連通すると共に、前記バスレフポートから屈曲したバスレフダクトが設けられている遊技機。
【請求項２】
前記バスレフダクトは、各バスレフポートに連通するように、それぞれ設けられていると共に、それぞれ設けられた前記バスレフダクトは、同一形状にて形成されていることを特徴とする請求項１に記載の遊技機。
【発明の詳細な説明】
【０００１】
【発明の属する技術分野】
本発明は、遊技機に関するものである。
【０００２】
【従来の技術】
一般に、パチンコ機等の遊技機においては、遊技機の機内部に、各種遊技状態に応じて様々な効果音（入賞音等）を発するための遊技機用スピーカ装置が装備されている。即ち、遊技機において機体の外郭をなす外枠内には、遊技盤の搭載枠とも称される中枠（内枠ともいう）が設置され、この中枠の前面側下部に前記スピーカ装置は配設されている。ところで、このスピーカ装置が配設される中枠の前面側下部には、機表側の上球皿及び下球皿へ機裏側の球払出装置から遊技球を夫々排出するための各球排出口が形成される他に、発射レール等も配設される。そのため、前記スピーカ装置の配設スペースは限られたものとされ、その結果、前記スピーカ装置には、従来から、小型のスピーカユニットが使用されていた。
【０００３】
その一方、近時においては、遊技機における興趣を高める一環として、スピーカ装置から発せられる音の高音質化が希求されている。しかし、前述したような小型のスピーカユニットでは、いくらスピーカユニットの性能が年々向上しているとはいえ、その特性上、低音の迫力が十分ではなく、その音質は、決して遊技者を満足させるものではなかった。
【０００４】
そこで、このような事情に鑑みて、例えば特開平８−１９６３８号公報に示すようなスピーカシステムが提案されている。即ち、この公報に記載のスピーカシステムでは、遊技機の機内部にではなく、スペース的に比較的余裕がある遊技機の機外後方にスピーカユニットを収容したスピーカボックスを配設する構成としている。そして、遊技機における中枠を前後方向へ貫通するように形成されたダクトを介して前記スピーカユニットからの効果音等を機表側に形成された音放出口から放出するようにしている。従って、この公報に記載のスピーカシステムによれば、スピーカユニットを機内部に装備しないため、スピーカユニットの大型化を実現でき、再生帯域を広げることで高音質化を図ることも可能とされていた。
【０００５】
【発明が解決しようとする課題】
しかしながら、上記公報に記載のスピーカシステムでは、スピーカユニットを収容するスピーカボックスが遊技機の機外後方に遊技機とは別体の構成で配設されているため、次のような問題があった。即ち、遊技機において機外後方に面する機裏側には、各種の制御基板及び球払出装置等の遊技機構成部材が配設されている。そして、これらの遊技機構成部材については、定期・不定期を問わず、頻繁に部材交換等のメンテナンス作業を行うことがある。そのため、前述したように、遊技機の機外後方に遊技機とは別体構成のスピーカボックスが配設されていると、遊技機における機裏側のメンテナンス作業がしづらいという問題があった。
【０００６】
本発明は上記問題点を解決するためになされたものであり、その目的は、遊技機における機裏側のメンテナンス作業に支障を与えることなく、当該遊技機が備えるスピーカ装置の高音質化を図ることができる遊技機を提供することにある。
【０００７】
【課題を解決するための手段】
上記問題点を解決するために、請求項１に記載の発明は、機体の外郭をなす外枠と、該外枠の前面側に対して開閉自在に組み付けられた中枠と、該中枠の前面側に対して開閉可能に組み付けられて機体の前面に配置される前枠と、を備えた遊技機において、該前枠の枠本体の前面側には、枠本体の上部及び左右両側に亘って、内部が中空状をなすと共に、枠本体から膨出するように形成され、発光ランプのランプレンズとしての機能を有する膨出部が備えられ、当該膨出部内の左右両側には、膨出部の内面と、膨出部の内部を区画する区画壁と、枠本体の前面により区画形成されたエンクロージャ構造をなすスピーカ収容部がそれぞれ１つずつ形成され、前記各スピーカ収容部内に、中高音用スピーカユニット及び中低音用スピーカユニットが、その前面部を機表側に向けると共に、当該前面部を膨出部の前面の内側に装着するようにしてそれぞれ取り付けられ、前記中高音用スピーカユニットは、前記各スピーカ収容部において前記中低音用スピーカユニットよりも上方に配設され、前記膨出部の内側であって、各スピーカ収容部外には、発光演出を行う発光ランプが取り付けられており、前記各スピーカ収容部には、前記中高音用スピーカユニットの前面部と前記中低音用スピーカユニットの前面部に対応する位置にそれぞれ音放出口が形成されているとともに、当該音放出口とは別にバスレフポートが開口形成されており、前記バスレフポートは、前記各スピーカ収容部において前記中高音用スピーカユニット及び前記中低音用スピーカユニットよりも上方に１つ配設されていると共に、前記各スピーカ収容部において前記中高音用スピーカユニット及び前記中低音用スピーカユニットよりも下方に１つ配設されており、前記スピーカ収容部内には、前記バスレフポートに連通すると共に、前記バスレフポートから屈曲したバスレフダクトが設けられていることを要旨とする。
【０００８】
請求項２に記載の発明は、請求項１に記載の発明において、前記バスレフダクトは、各バスレフポートに連通するように、それぞれ設けられていると共に、それぞれ設けられた前記バスレフダクトは、同一形状にて形成されていることを要旨とする。
【００１４】
【発明の実施の形態】
（第１実施形態）
以下、本発明をパチンコ遊技機（以下、「遊技機」という）における遊技機用スピーカシステムに具体化した第１実施形態を図１〜図５に従って説明する。
【００１５】
図１に略示するように、本実施形態に係る遊技機１０は機体の外郭をなす正面視縦矩形枠状の外枠１１を備えている。そして、この外枠１１の開口前面側には複数種の遊技機構成部材を搭載セットした縦長方形状の中枠１２が開閉及び着脱自在に組み付けられている。中枠１２の前面側には、機内部に配置された遊技盤１３を透視保護するためのガラス枠を備えた前枠１４が横開き状態で開閉可能に組付け整合されており、この前枠１４の下側には、上球皿１５が中枠１２に対して横開き状態で開閉可能に組付け整合されている。また、中枠１２の前面側において、前記上球皿１５の組み付け整合領域よりも下方には、打球発射装置１６と下球皿１７が装着されている。
【００１６】
前記前枠１４は、中枠１２の正面左側縁の上下部に配置された開閉連結支持具３１にて支持されており、全体が合成樹脂にて形成されている。そして、その基本的な構成をなす枠本体３２は方形箱蓋状に形成されており、枠本体３２の中央部には窓口３３が形成されている。前記窓口３３は遊技盤１３の遊技領域に適した広さのほぼ円形状とされており、遊技領域全体を好適に見通し得るようになっている。また、枠本体３２の裏側には、板ガラスを備えたガラス枠（図示しない）が装着されている。
【００１７】
図３に示すように、前記枠本体３２の前面側には、当該枠本体３２の上部及び左右両側部に亘って窓口３３を囲むように膨出部３４が設けられている。前記膨出部３４は前面側に膨出するように形成されており、有色（例えば赤色）且つ透過性を有する合成樹脂にて形成されている。そして、正面視逆Ｕ字状をなすように連続形成されている。なお、本実施形態では、図５に示すように、枠本体３２の裏面は平面状に形成され、前枠１４は、枠本体３２の前面側のみが膨出した形態とされている。
【００１８】
図２，図４（ａ），図４（ｂ）及び図５に示すように、膨出部３４は、その内部が全体に亘って中空状をなすように形成されており、図２及び図５に略示するように、中空状の膨出部３４内であって、窓口３３を挟んだ左右両側部には、箱体形状をなすエンクロージャＥが膨出部３４の内面と区画壁２２ａ、及び枠本体３２の前面により区画形成されている。即ち、前記エンクロージャＥは、膨出部３４内の一部を区画して占有した形態とされている。この結果、前記エンクロージャＥは、前枠１４における４方の側部のうちの左右各側部における膨出部３４内に、区画壁２２ａにより上側部における膨出部３４内と区画して形成されている。本実施形態においては、膨出部３４の内部、特にエンクロージャＥがスピーカ収容部に相当する。
【００１９】
また、図１及び図４（ａ）に示すように、前記膨出部３４の内部において、上部左右両側には、発光ランプ３６が設けられている。この発光ランプ３６は図示しないランプ基板に実装された状態で枠本体３２に取着されている。従って、透過性を有する膨出部３４は、発光ランプ３６に対応した位置においては、発光ランプの発光演出を遊技者に視認可能とさせるランプレンズの機能を果たしている。
【００２０】
前記窓口３３を挟んだ左右両側部であって、前記エンクロージャＥに対応した膨出部３４の前面側には多数の小孔からなる第１音放出口１９がそれぞれ形成されている。また、前記第１音放出口１９の下側には、多数の小孔からなる第２音放出口２１がバスレフポートとして機能するように形成されている。なお、図４（ｂ）及び図５に示す前枠１４の断面図において、前記第１及び第２音放出口１９，２１は図示略されている。
【００２１】
前記エンクロージャＥ内には、各第１音放出口１９に対応するように平板状をなす平面形スピーカユニット（以下、単に「スピーカユニット」という）２３が配設されてスピーカ装置Ｓを構築している。ここで、前枠１４に膨出形成された膨出部３４内は、遊技機構成部材が多く配設された中枠１２の前面側下部よりも、スペース的な制約をそれほど受けることがない。従って、前記したような平面形スピーカユニット２３を用いた場合には低域再生帯域が広い比較的大型のスピーカを採用することができ、スピーカ装置Ｓからは高音質の音声を再生出力可能になる。なお、前枠１４（膨出部３４）の左右両側部に位置するスピーカ装置Ｓは共に同一構成とされている。また、以下の説明においては「スピーカユニット」のことを「スピーカ」ともいう。
【００２２】
前記スピーカ２３は中音及び高音を好適に再生可能な中高音用スピーカユニットであり、その前面部（振動板のある側）が前記第１音放出口１９に位置合わせされた状態で膨出部３４の内面側に装着されている。そのため、前記スピーカ２３の前面部は第１音放出口１９を介して遊技機１０外部の大気と直接接触していることになり、スピーカ２３からの再生音を篭もらせることなく、高音質にして再生出力できる。また、前枠１４の膨出部３４の内部は、スペース的な制約をそれほど受けることがないため、エンクロージャＥを大きく形成したい場合も、容易に実現できる。
【００２３】
また、図５に示すように、エンクロージャＥ内には前記スピーカ２３の背面近傍位置から前記第２音放出口２１に連なるバスレフダクト（共鳴管ともいう）２７が区画壁２２ｂにより延長屈折した迷路状のダクト構造をなすように形成されている。そのため、前記スピーカ２３の背面部はバスレフダクト２７及び第２音放出口２１を介して遊技機１０外部の大気と直接接触していることになり、バスレフダクト２７を介して出力される音声を篭もらせることなく、高音質にして出力できる。
【００２４】
従って、このスピーカ２３が膨出部３４の内面側に装着された状態において、エンクロージャＥ（スピーカ収容部）は、バスレフポートたる第２音放出口２１に連通するバスレフダクト２７が内部に形成されたバスレフ型エンクロージャ構造をなしている。また、このようなバスレフ型エンクロージャ構造のエンクロージャＥ（スピーカ収容部）にスピーカユニットを内包した形態のスピーカ装置のことを、一般に、バスレフ形スピーカ（位相反転形スピーカ）と呼んでいる。そして、本実施形態では、前記スピーカ装置Ｓをバスレフ形スピーカ（位相反転形スピーカ）として構成している。
【００２５】
次に、上記のように構成した本実施形態に係る遊技機１０の作用を説明する。
さて、この遊技機１０を遊技場等に設置する際には、まず外枠１１が設置枠台（図示略）上に立設された後、前枠１４、上球皿１５等の遊技機構成部材を搭載する中枠１２が外枠１１に対して組み付け整合される。このとき、スピーカ装置Ｓは前枠１４に形成された膨出部３４に取り付けられているため、遊技機１０と共に持ち運びされる。従って、高品質の音声を提供するためにスピーカシステムが遊技機１０と別体にされていた従来と比較して、設置作業が簡便に行われる。
【００２６】
そして、この遊技機１０の使用状態においては、当該遊技機１０において入賞等の所定遊技状態が発生すると、図示しない音声制御基板から出力される音声制御信号に基づいて前記両スピーカ装置Ｓから様々な効果音が再生出力される。そして、その効果音等の再生出力に際して、バスレフ型スピーカとして構成されたスピーカ装置Ｓからは、音質の良い再生音の出力が可能とされる。
【００２７】
また、遊技機１０の裏面側のメンテナンス作業に際しては、高品質の音声出力のために、機外後方に別体構成のスピーカボックスが配設された従来と異なり、遊技機１０の前面側に位置する前枠１４に設けられたスピーカ装置Ｓが、メンテナンス作業に支障を与えることもない。
【００２８】
ここで、スピーカの特性について説明すると、スピーカは、振動板が前に動くと正面（前面）の空気密度が高くなると同時に背面（後面）の空気密度が低くなり、反対に、振動板が後に動くと背面の空気密度が高くなると同時に正面の空気密度が低くなる。また、スピーカの正面（前面）から出る音と背面（後面）から出る音とは双方の音の位相において１８０度のずれがあり、正面からの音の位相を正相とした場合、背面からの音の位相は逆相になる。そのため、スピーカの前後の空気を隔離する構造体（バッフル板）がないと、特に高音に比して指向性の鈍い低音は、その音波がスピーカの周囲を往復するだけで前方へ進まない。その結果、そのようなスピーカでは、正面から出た正相の低音と背面から出た逆相の低音とが打ち消し合うことになり、高音ばかりが強調されて低音がはっきり聞こえないという状況を招いてしまう。
【００２９】
そこで、そのような状況を招来しないために、通常、スピーカ装置が構築される場合には、スピーカの前後の空気を隔離する構造体（バッフル板）が当該スピーカのエンクロージャとして設けられる。ここに「エンクロージャ」とはスピーカユニットが装着される構造体のことをいうが、必ずしも完全な箱体形状の構造体のみを意味しない。即ち、スピーカの正面から出た正相の低音と背面から出た逆相の低音との打ち消し合いを防ぐことが可能な構造体であれば、平板状のバッフル板や、そのようなバッフル板の角を後へ曲げた形の背面開放型キャビネット形態のものも、本明細書中における「エンクロージャ」の技術的概念には含まれるものである。そして、かかるスピーカの特性を考慮して構成された前記スピーカ装置Ｓは、スピーカ収容部（エンクロージャＥ）が箱体形状のエンクロージャ構造をなしているため、次のような機能を発揮する。
【００３０】
すなわち、まず、箱体形状のエンクロージャＥを備えたスピーカ装置Ｓは、中高音用のスピーカ２３しか設けられていないにも関わらず、中高音域のみならず第２音放出口２１から低音域の再生をも確実に図ることができる。また、エンクロージャＥ内に配設されるスピーカ２３を平面形スピーカユニットとしたため、例えば、コーン形スピーカと比較して、その設置スペースを必要としない。従って、エンクロージャＥ（スピーカ収容部）の容量を大きく確保でき、より迫力ある低音の出力に寄与する。
【００３１】
また、スピーカ装置Ｓのようなバスレフ形スピーカは、音波が空洞（つまり、エンクロージャＥ（スピーカ収容部）の容積）と筒（即ち、バスレフダクト）で共鳴する現象を利用し、スピーカの背面からの音を空洞と筒で共鳴させることにより低音域の量感を補うようにしたスピーカである。そのため、エンクロージャＥが密閉型エンクロージャ構造の密閉型スピーカよりも低音の量感が得やすく、低音増強用には好適なスピーカとされている。従って、迫力ある低音の再生でき、その一方で、低音用のスピーカを設けることなく低音増強ができるため、前枠１４が大型化することはない。
【００３２】
次に、このようなバスレフ形スピーカとして構成された前記スピーカ装置Ｓにおける低音再生原理に関して、以下詳細に説明する。
前述したように、スピーカの正面（前面）から出る音と背面（後面）から出る音とは双方の音の位相において１８０度のずれがあり、正面からの音の位相を正相とした場合、背面からの音の位相は逆相になる。従って、バスレフ形スピーカにおけるバスレフダクトの全長をＬとした場合、そのスピーカから発せられる音のうち波長がＬとなる周波数の音は、正面から出る音と背面から出る音とが互いに打ち消し合うため、低音増強を図ることができない。しかし、波長が２Ｌとなる周波数の音の場合は、正面から出る音と背面から出る音とが同相となるため、双方の音が互いに打ち消し合わず、低音の増強を図ることができる。そして、一般に、バスレフダクトの全長Ｌが長い方が、低域再生帯域（低音の再生限界周波数）が低く設定できることが知られている。
【００３３】
そこで、前記スピーカ装置Ｓでは、エンクロージャＥ内に形成されるバスレフダクト２７を図５に示すような延長屈折した迷路状のダクト構造をなすように構成し、まず、バスレフダクト２７の全長Ｌを長く確保できるようにしている。従って、低音増強の図れる低域再生帯域をより一層低く設定でき、より迫力のある所謂重低音を響かせることができる。
【００３４】
このとき、前枠１４の左右両側部に設けられたエンクロージャＥは、膨出部３４内において、区画壁２２ａで区画されているため、バスレフダクト２７をスピーカ２３の近傍に設けた際の低音再生において、スピーカ２３の背面からの音を好適にバスレフダクト２７へ導くことができる。
【００３５】
従って、上記実施形態によれば、以下のような効果を得ることができる。
（１）スピーカ装置Ｓにおいてスピーカ収容部を構成するエンクロージャＥを、前枠１４に形成された膨出部３４内に形成し、このエンクロージャＥ内にスピーカユニット２３を配設した。遊技機構成部材が多く配設された中枠１２の前面側下部における設置部位よりも、前枠１４に膨出形成された膨出部３４は、スペース的な制約をそれほど受けることがない。従って、スピーカ装置Ｓにおけるスピーカユニット２３には低域再生帯域が広い比較的大型のスピーカを採用することができ、スピーカ装置Ｓからは高音質の効果音等を再生出力することができる。
【００３６】
（２）しかも、スピーカ２３を有するエンクロージャＥは、上記したように、前枠１４に設けられているため、低音部の増強を図りつつも、従来とは異なり、遊技機１０の機裏側において頻繁に行われる基板交換等のメンテナンス作業に支障を与えることもない。
【００３７】
（３）また、スピーカ装置Ｓでは、スピーカ２３の正面から出る音と背面から出る音とが打ち消し合うことを防止する構造体（バッフル板）として、内部が中空状の膨出部３４により形成され、箱体形状をなすエンクロージャＥを採用しているため、スピーカ装置Ｓからは中高音域のみならず低音域の再生をも確実に図ることができる。
【００３８】
（４）また、前記エンクロージャＥを、前枠１４における４方の側部のうちの左右各側部における膨出部３４内に、区画壁２２ａにより上側部における膨出部３４内と区画して形成した。このため、延長屈折した迷路状のバスレフダクト２７をスピーカ２３の近傍に設けた際の低音再生において、スピーカ２３の背面からの音を好適にバスレフダクト２７へ導くことができる。
【００３９】
（５）また、スピーカ装置Ｓはスピーカ２３の前面部が第１音放出口１９を介して、またスピーカ２３の後面部がバスレフダクト２７及び第２音放出口２１を介して、それぞれ遊技機１０外部の大気と直接接触している構成とされている。従って、各スピーカ装置Ｓからは再生音を篭もらせることなく、更に高音質にして再生出力できる。
【００４０】
（６）加えて、バスレフ型スピーカとして構成されたスピーカ装置Ｓでは、エンクロージャＥに第２音放出口２１に連なるバスレフダクト２７が形成されている。そのため、当該バスレフダクト２７内及びエンクロージャＥ内でスピーカ２３の背面から出た音を共鳴させて低音域の量感を補うことができ、迫力ある低音の再生が可能でありながら、スピーカ装置Ｓ自体を非常にコンパクトにできる。
【００４１】
（７）しかも、そのバスレフダクト２７は延長屈折した迷路状のダクト構造をなしているため、バスレフダクト２７の全長を長く確保できる。従って、バスレフ型スピーカにあって低音増強の図れる低域再生帯域をより一層低域までのばすことができ、より迫力のある所謂重低音を響かせることができる。
【００４２】
（８）また、エンクロージャＥ内に配設されるスピーカ２３を平面形スピーカユニットにて構成した。例えばコーン型スピーカと比較して平面形スピーカは、設置スペースを必要としないため、その分だけエンクロージャＥ（スピーカ収容部）の容量を大きく確保することができる。このため、より迫力ある低音を響かせることができる。
【００４３】
（第２実施形態）
次に、本発明の第２実施形態を図６に従って説明する。なお、この第２実施形態はスピーカ装置ＳにおけるエンクロージャＥの具体的構成においてのみ第１実施形態と相違するものであり、その他の構成は第１実施形態の場合と同じである。従って、以下の説明においては、第１実施形態との相違部分を中心に説明することとし、その他の部分については第１実施形態と同一の符号を付すことにより重複した説明は省略する。
【００４４】
さて、本実施形態に係る遊技機１０（図１参照）は、前枠１４の枠本体３２における左右両側部にバスレフ型スピーカとして構成されたスピーカ装置Ｓをそれぞれ備えており、両スピーカ装置Ｓは同一構成とされている。スピーカ装置Ｓは、図６に示すように、膨出部３４の内面と区画壁２２ａ、及び枠本体３２の前面により形成されたエンクロージャＥをスピーカ収容部とし、エンクロージャＥ内に中高音用スピーカユニットである平面形スピーカ２３を配設している。なお、図６には図示されていないが、膨出部３４におけるスピーカ２３の前面部と対応する位置には第１音放出口が形成されている。
【００４５】
スピーカ装置ＳのエンクロージャＥ内において、膨出部３４の内面側であって、スピーカ２３の下方位置には、筒状をなすバスレフダクト２７が突設されている。そして、図示はしないが、前記膨出部３４におけるバスレフダクト２７と対応する位置にはバスレフポートとして機能する第２音放出口２１が形成されている。
【００４６】
従って、本実施形態においては前記第１実施形態における（１）〜（６），（８）の各効果と同様の効果を奏する。
（第３実施形態）
次に、本発明の第３実施形態を図７に従って説明する。なお、この第３実施形態についても前述した第１実施形態と相違する部分を中心に説明することとし、その他の部分については第１実施形態と同一の符号を付すことにより重複した説明は省略する。
【００４７】
さて、本実施形態に係る遊技機１０（図１参照）は、前枠１４の枠本体３２における左右両側部に、図７に示すように、バスレフ型スピーカとして構成されたスピーカ装置Ｓを備えている。このスピーカ装置Ｓは、図７に示すように、膨出部３４の内面と区画壁２２ａ、及び枠本体３２の前面により形成されたエンクロージャＥをスピーカ収容部とし、エンクロージャＥ内に第１スピーカユニット２３と第２スピーカユニット２５とを配設している。第１スピーカユニット２３は、前記第１，第２実施形態における「平面形スピーカユニット２３」と同じ中高音用の平面形スピーカユニットである。
【００４８】
第２スピーカユニット２５も、平面形スピーカユニットであり、第１スピーカユニット２３よりも再生帯域が低い中低音用のスピーカユニットが使用されている。そして、この第２スピーカユニット２５は、中低音を好適に出力するために第１スピーカユニット２３よりも長尺状に形成されている。このような第２スピーカユニット２５が配設可能とされるのも、中枠１２の前面側下部と比較して、スペース的に規制を受けづらい前枠１４の膨出部３４内にスピーカ収容部（エンクロージャＥ）を設けたことによる。また、エンクロージャＥ内においては、前記第２スピーカユニット２５の上方に第１スピーカユニット２３が配置されている。そして、図示はしないが、膨出部３４における第１スピーカユニット２３の前面部と対応する位置には第１音放出口１９が形成される。また、第２スピーカユニット２５の前面部と対応する位置には多数の小孔からなる第３音放出口（図示しない）が形成されている。なお、第１スピーカユニット２３は第２スピーカユニット２５の下方に配置してもよい。
【００４９】
また、本実施形態では、前記エンクロージャＥ内において、膨出部３４の裏面側には、第１スピーカユニット２３の上方位置及び第２スピーカユニット２５の下方位置から、屈曲した筒状をなすバスレフダクト２７がそれぞれ設けられている。この両バスレフダクト２７は、その内端部が互いに向き合うように形成されている。そして、図示はしないが、前記膨出部３４の前面側における各バスレフダクト２７と対応する位置にはバスレフポートとして機能する第２音放出口２１が各々形成されている（図７においては図示しない）。
【００５０】
従って、本実施形態においては前記第１実施形態における（１）〜（５），（８）の各効果と同様の効果を奏する他、第２スピーカユニット２５として中低音用のスピーカユニットを設けたことにより、スピーカ装置Ｓを低音から中高音まで全音域に亘って高音質な再生出力ができるマルチウェイタイプのスピーカシステムとして構築できる。
【００５１】
なお、上記各実施形態は以下のような別例に変更して具体化してもよい。
・  前記各実施形態では、膨出部３４に形成される第１音放出口１９を多数の小孔にて構成したが、スピーカユニット２３の前面部を直接大気に接触できるならば、第１音放出口１９の形成態様は小孔に限らない。また、バスレフポートとして機能する第２音放出口２１の形成態様についても同様である。
【００５２】
・  前記各実施形態における膨出部３４の裏面側が開放するように枠本体３２を形成し、エンクロージャＥを平板状のバッフル板や、そのようなバッフル板の角を後へ曲げた形の背面開放型キャビネット形態にしてもよい。
【００５３】
・  前記第１実施形態では、エンクロージャＥ内に形成されるバスレフダクト２７を延長屈折した迷路状のダクト構造をなすように形成したが、そのダクト構造を図８に示すように形成し、所謂バックロードホーン型のバスレフダクト２７に構成してもよい。即ち、当該バスレフダクト２７の幅員がバスレフポートたる第２音放出口２１（図８では図示略）に近づくほど増加するホーン状のダクト構造にしてもよい。このようにバスレフダクト２７を構成すれば、低音域の能率を良くし、所謂歯切れの良い音を再生出力することができる。
【００５４】
・  前記第１及び第２実施形態では、スピーカ装置Ｓは、中高音用スピーカユニット２３のみを備えていたが、以下のように変更してもよい。即ち、例えば、図９及び図１０に示すように、スピーカ装置Ｓを構成するスピーカユニットとして、高音用スピーカユニット２８と中音用スピーカユニット２９を設ける。このようにすれば、バスレフダクト２７を介して、第２音放出口２１（図９及び図１０では図示しない）から高品質な低音の再生音を出力できるのは勿論、高音及び中音のそれぞれの再生音を高品質に保つことができる。この場合、高音用スピーカユニット２８と中音用スピーカユニット２９とで中高音用スピーカユニットが構成される。
【００５５】
・  前記各実施形態では、前枠１４の左右両側部に設けられるスピーカ装置Ｓを同一構成としたが、例えば、音域の異なる別々のスピーカを配設する等、異なる構成にしてもよい。
【００５６】
・  前記各実施形態では、膨出部３４内において、前枠１４の左右両側部にエンクロージャＥが形成され、スピーカ装置Ｓが設けられていたが、左右何れかの側部のみにエンクロージャＥ（スピーカ装置Ｓ）を設ける構成にしてもよい。また、前枠１４の上側部若しくは前枠１４の下側部にエンクロージャＥ（スピーカ装置Ｓ）を設ける構成にしてもよい。さらには、前枠１４における窓口３３を囲んだ四方の側部全てにエンクロージャＥ（スピーカ装置Ｓ）を設ける構成でもよい。
【００５７】
・  前記第１，第２実施形態において、中高音用のスピーカユニット２３，２５に加えて低音用のスピーカユニットをエンクロージャＥに配設するようにしてもよい。
【００５８】
・  前記第３実施形態では、中高音用の第１スピーカ２３と中低音用の第２スピーカ２５との組み合わせでマルチウェイタイプのスピーカシステムを構成したが、図１１に示すように、低音用のスピーカ４１と中音用のスピーカ４２及び高音用のスピーカ４３をエンクロージャＥ内に配設することでマルチウェイタイプのスピーカシステムを構成してもよい。この場合、中音用のスピーカ４２と高音用のスピーカ４３とで中高音用スピーカユニットが構成される。
【００５９】
・  前記各実施形態では、スピーカユニットとして、平面形スピーカユニットを用いたが、例えばコーン形スピーカユニット等、他の形態をなすスピーカユニットを用いてもよい。
【００６０】
・  前記各実施形態では、膨出部３４を前枠１４（枠本体３２）の上部及び左右両側部に亘って連続形成したが、窓口３３を囲むように枠本体３２の全周に亘って連続形成して、この膨出部３４内全体を連通するように形成してもよい。また、膨出部３４を前枠１４におけるエンクロージャＥが形成される部位のみに形成してもよい。
【００６１】
・  前記各実施形態では、膨出部３４を枠本体３２の前面側に設けたが、枠本体３２の前面側は平面状に形成し、膨出部３４を枠本体３２の裏面側に設けてもよい。また、前面側及び裏面側の双方へ膨出する膨出部３４が設けられる態様にしてもよい。
【００６２】
【発明の効果】
以上詳述したように、本発明によれば、遊技機における機裏側のメンテナンス作業に支障を与えることなく、当該遊技機が備えるスピーカ装置の高音質化を図ることができる。
【図面の簡単な説明】
【図１】スピーカシステムが搭載されるパチンコ遊技機の正面図。
【図２】前枠を示す正断面図。
【図３】前枠を示す斜視図。
【図４】（ａ）は図１におけるＡ−Ａ線断面図、（ｂ）は図１におけるＢ−Ｂ線断面図。
【図５】第１実施形態のスピーカシステムの概略側断面図。
【図６】第２実施形態のスピーカシステムの概略側断面図。
【図７】第３実施形態のスピーカシステムの概略側断面図。
【図８】第１実施形態の別例のスピーカシステムの概略側断面図。
【図９】第１実施形態の他の別例のスピーカシステムの概略側断面図。
【図１０】第２実施形態の別例のスピーカシステムの概略側断面図。
【図１１】第３実施形態の別例のスピーカシステムの概略側断面図。
【符号の説明】
Ｅ…エンクロージャ（スピーカ収容部）、１０…遊技機、１４…前枠、２１…第２音放出口（バスレフポート）、２２ａ…区画壁、２３…平面形スピーカユニット（中高音用スピーカユニット）、２７…バスレフダクト、３４…膨出部。
【図１】
0004691287.tif 000002
【図２】
0004691287.tif 000003
【図３】
0004691287.tif 000004
【図４】
0004691287.tif 000005
【図５】
0004691287.tif 000006
【図６】
0004691287.tif 000007
【図７】
0004691287.tif 000008
【図８】
0004691287.tif 000009
【図９】
0004691287.tif 000010
【図１０】
0004691287.tif 000011
【図１１】
0004691287.tif 000012